(57)【特許請求の範囲】
【請求項１】
デジタル化された輝度情報と第１及び第２の色差情報とが交互に設けられた入力情報から上記輝度情報と第１及び第２の色差情報とを分離し、
上記分離された第１及び第２の色差情報を、単位遅延手段が２単位ずつ設けられた情報処理手段でそれ以上は分離せずに時分割で補間及び／または濾波処理し、
上記補間及び／または濾波処理された時分割処理の第１及び第２の色差情報が乗算手段に供給されると共に、
上記単位遅延時間ごとに所定のサイン及びコサインの波形情報が交互に選択されて上記乗算手段に供給され、
上記時分割処理の第１及び第２の色差情報に上記交互に選択されたサイン及びコサインの波形情報が乗算されることによって直交２軸変調が行われ、
この変調された色差情報が加算手段に供給されて１単位遅延時間遅延された情報と加算されて取り出される
ことを特徴とするデジタルエンコーダ装置。
【請求項２】
請求項１記載のデジタルエンコーダ装置において、
上記分離された輝度情報は上記第１及び第２の色差情報の処理に相当する遅延手段を介して取り出される
ことを特徴とするデジタルエンコーダ装置。
【発明の詳細な説明】
【０００１】
【発明の属する技術分野】
本発明は、例えばデジタル化されて輝度情報と第１及び第２の色差情報とが交互に設けられた入力情報から、いわゆるＮＴＳＣ方式またはＰＡＬ方式の映像信号を形成する場合に使用して好適なデジタルエンコーダ装置に関する。詳しくは例えば第１及び第２の色差情報を分離せずに処理することにより、装置の構成を簡略化するものである。
【０００２】
【従来の技術】
例えばデジタル化されて輝度情報と第１及び第２の色差情報とが交互に設けられた入力情報から、いわゆるＮＴＳＣ方式またはＰＡＬ方式の映像信号を形成するデジタルエンコーダ装置においては、従来から例えば図５に示すような装置が用いられている。
【０００３】
すなわち図５において、入力端子５１には例えばデジタル化された輝度情報（Ｙ0 、Ｙ1 ・・・）と第１及び第２の色差情報（Ｃb0、Ｃr0、Ｃb2、Ｃr2・・・）とが交互に設けられた図６のＡに示すような入力情報が供給される。この入力端子５１に供給された入力情報が、並列に設けられた３個のデータラッチ回路５２、５３、５４に供給される。
【０００４】
これらのラッチ回路５２、５３、５４が、例えば上述の輝度情報（Ｙ）と第１及び第２の色差情報（Ｃb 、Ｃr ）とが設けられたそれぞれ所定のタイミングごとに順番に駆動されることによって、例えば図６のＢ、Ｃ、Ｄに示すように上述の輝度情報（Ｙ）、第１の色差情報（Ｃb ）、第２の色差情報（Ｃr ）が分離される。この内の分離された輝度情報（Ｙ）が、後述する第１及び第２の色差情報の処理に相当する遅延回路５５を介して出力端子５６に取り出される。
【０００５】
また、分離された第１の色差情報（Ｃb ）と第２の色差情報（Ｃr ）が、例えばそれぞれの間の情報を前後の情報の平均値等によって補充する補間回路５７、５８に供給される。これによって補間回路５７、５８では、例えば図６のＥ、Ｆに示すようにそれぞれ補間された第１の色差情報（Ｃb0、Ｃb1、Ｃb2、Ｃb3・・・）と第２の色差情報（Ｃr0、Ｃr1、Ｃr2、Ｃr3・・・）が形成される。
【０００６】
そしてこれらの補間回路５７、５８で形成された第１及び第２の色差情報が、それぞれ例えば不用情報を濾波するための後述するローパスフィルタ５９、６０に供給される。これらのローパスフィルタ５９、６０で濾波された第１及び第２の色差情報がそれぞれ乗算回路６１、６２に供給されて、それぞれ端子６３、６４からのサイン及びコサインの波形情報と乗算される。これによって、第１及び第２の色差情報の直交２軸変調が行われる。
【０００７】
さらに、これらの乗算回路６１、６２で直交２軸変調された第１及び第２の色差情報が加算回路６５で加算されて出力端子６６に取り出される。こうして、入力端子５１に供給された例えばデジタル化されて輝度情報と第１及び第２の色差情報とが交互に設けられた入力情報が、例えばＮＴＳＣ方式の映像信号にエンコードされて出力端子６６に取り出される。なお、例えばＰＡＬ方式の映像信号にエンコードする場合においても、略同様の構成で行うことができる。
【０００８】
【発明が解決しようとする課題】
ところが上述の装置において、例えば第１及び第２の色差情報を処理するための補間回路５７、５８、ローパスフィルタ５９、６０、乗算回路６１、６２の回路構成が２系統設けられている。このため装置全体の回路規模が極めて大きくなってしまう恐れがある。
【０００９】
すなわち図７には、例えば上述のローパスフィルタ５９、６０での１回路の具体的な構成を示す。この図７において、入力端子７１に供給された色差情報は、直列に接続された例えば８個のデータラッチ回路７２、７３、７４、７５、７６、７７、７８、７９に供給される。そしてこれらのラッチ回路７２〜７９の内から、例えば図示のようにラッチ回路７５の出力端の情報と、それぞれ対称の位置の情報を加算回路８０、８１、８２、８３で加算した情報が取り出される。
【００１０】
さらにこれらの取り出された情報が、それぞれ演算回路８４、８５、８６、８７、８８に供給されてそれぞれ所定の係数に従って重み付けが行われる。そしてこれらの重み付けされた情報が加算回路８９で加算されることにより、いわゆるＦＲＩフィルタが形成されて所望のフィルタ特性が形成される。これによって、例えば不用情報の濾波された情報が加算回路８９から出力端子９０に取り出されるものである。
【００１１】
ところが例えばこのようなローパスフィルタの回路において、特に加算回路８０、８１、８２、８３及び８９の回路構成は複雑であって、このような加算回路を多数設けた回路規模が大きくなる。さらにこのようなローパスフィルタを２系統設けた上述の装置全体の回路規模が極めて大きくなってしまうものである。なお補間回路、乗算回路にも略同様の回路構成が用いられており、これらの回路も２系統設けた上述の装置全体の回路規模は一層大きなものになる。
【００１２】
この出願はこのような点に鑑みて成されたものであって、解決しようとする問題点は、従来の装置では第１及び第２の色差情報を処理するための回路構成が２系統設けられているために、装置全体の回路規模が極めて大きくなってしまう恐れがあったというものである。
【００１３】
【課題を解決するための手段】
このため本発明においては、第１及び第２の色差情報をそれぞれの単位遅延手段を２単位ずつ設けた情報処理手段を用いて処理するようにしたものであって、これによれば、第１及び第２の色差情報の処理を１系統で行うことができ、装置全体の回路規模を縮小することができる。
【００１４】
【発明の実施の形態】
すなわち本発明においては、デジタル化された輝度情報と第１及び第２の色差情報とが交互に設けられた入力情報から輝度情報と第１及び第２の色差情報とを分離する。この分離された第１及び第２の色差情報をそれぞれの単位遅延手段を２単位ずつ設けた情報処理手段に供給する。
【００１５】
さらに処理された第１及び第２の色差情報を乗算手段に供給すると共に、この乗算手段に単位遅延時間ごとに所定のサイン及びコサインの波形情報を交互に供給する。そしてこのサイン及びコサインの波形情報の乗算された第１及び第２の色差情報と、この情報を単位遅延時間遅延した情報とを加算して取り出すものである。
【００１６】
【実施例】
以下、図面を参照して本発明を説明するに、図１は本発明を適用したデジタルエンコーダ装置の一例の構成を示すブロック図である。この図１において、入力端子１には例えばデジタル化された輝度情報（Ｙ0 、Ｙ1 ・・・）と第１及び第２の色差情報（Ｃb0、Ｃr0、Ｃb2、Ｃr2・・・）とが交互に設けられた図２のＡに示すような入力情報が供給される。この入力端子１に供給された入力情報が、並列に設けられた２個のデータラッチ回路２、３に供給される。
【００１７】
これらのラッチ回路２、３が、例えば上述の輝度情報（Ｙ）と第１及び第２の色差情報（Ｃb 、Ｃr ）とが設けられたタイミングごとに交互に駆動されることによって、例えば図２のＢ、Ｃに示すように上述の輝度情報（Ｙ）と、第１及び第２の色差情報（Ｃb 、Ｃr ）とが分離される。この内の分離された輝度情報（Ｙ）が、後述する第１及び第２の色差情報の処理に相当する遅延回路４を介して出力端子５に取り出される。
【００１８】
また、分離された第１及び第２の色差情報（Ｃb 、Ｃr ）が、例えばそれぞれの間の情報を前後の情報の平均値等によって補充する補間回路６に供給される。これによって補間回路６では、例えば図２のＤに示すように補間された第１及び第２の色差情報（Ｃb0、Ｃr0、Ｃb1、Ｃr1、Ｃb2、Ｃr2、Ｃb3、Ｃr3・・・）が形成される。この補間回路６で形成された第１及び第２の色差情報が、例えば不用情報を濾波するための後述するローパスフィルタ７に供給される。
【００１９】
さらにローパスフィルタ７で濾波された第１及び第２の色差情報が乗算回路８に供給される。また端子９、１０には、例えばそれぞれサイン及びコサインの波形情報が供給され、これらの波形情報がセレクタ回路１１に供給されて、例えば図２のＥに示すように第１及び第２の色差情報（Ｃb 、Ｃr ）の設けられたタイミング（単位遅延時間）ごとに交互に選択される。そしてこの選択された波形情報が乗算回路８に供給されて第１及び第２の色差情報と乗算される。
【００２０】
これによってこの乗算回路８では、第１及び第２の色差情報の直交２軸変調が行われ、これらの変調された第１及び第２の色差情報が加算回路１２に供給される。それと共に、この乗算回路８で変調された情報が１単位遅延時間の遅延手段を構成するデータラッチ回路１３を通じて加算回路１２に供給される。そしてこの加算回路１２で加算された情報が出力端子１４に取り出される。
【００２１】
これによって、例えば入力端子１に供給されるデジタル化されて輝度情報と第１及び第２の色差情報とが交互に設けられた入力情報の内の、例えば第１及び第２の色差情報が直交２軸変調されて、例えばＮＴＳＣ方式の映像信号にエンコードされて出力端子１４に取り出される。なお、例えばＰＡＬ方式の映像信号にエンコードする場合においても、略同様の構成で行うことができる。
【００２２】
そしてこの装置において、上述の補間回路６、ローパスフィルタ７及び乗算回路８は時分割で使用されるものである。この場合に、例えばＮＴＳＣ／ＰＡＬのエンコードにおいては、補間回路６の係数は第１及び第２の色差情報系で共に同一であり、また第１及び第２の色差情報の変調を例えばＵ軸、Ｖ軸で行う場合には、ローパスフィルタ７の係数も同一のものとなる。
【００２３】
そこで、例えばローパスフィルタ７は、例えば図３に示すように構成される。すなわち図３において、上述の第１及び第２の色差情報（Ｃb 、Ｃr ）が入力端子２１に供給される。この入力端子２１に供給された色差情報は、例えば１組が２個ずつの回路で形成され全体が直列に接続された例えば８組（１６個）のデータラッチ回路２２、２３、２４、２５、２６、２７、２８、２９、３０、３１、３２、３３、３４、３５、３６、３７に供給される。
【００２４】
さらにこれらのラッチ回路２２〜３７の内から、例えば図示のようにラッチ回路２９の出力端の情報と、それぞれ上述の各組ごとの対称の位置の情報を加算回路３８、３９、４０、４１で加算した情報が取り出される。そしてこれらの取り出された情報が、それぞれ演算回路４２、４３、４４、４５、４６に供給されてそれぞれ所定の係数に従って重み付けが行われる。さらにこれらの重み付けされた情報が加算回路４７で加算されて出力端子４８に取り出される。
【００２５】
すなわちこのローパスフィルタ７において、入力端子２１には例えば図４のＡに示すように第１及び第２の色差情報（Ｃb0、Ｃr0、Ｃb1、Ｃr1、Ｃb2、Ｃr2、Ｃb3、Ｃr3・・・）が供給される。そして例えば入力情報（Ｃb0）がラッチ回路２９にラッチされた時点で、出力端子４８には、例えば処理された第１の色差情報（Ｃbn）が取り出される。さらにこれ以後は例えば図４のＢに示すように第１及び第２の色差情報（Ｃbn、Ｃrn、Ｃbn+1、Ｃrn+1、Ｃbn+2、Ｃrn+2、Ｃbn+3、Ｃrn+3・・・）が順番に取り出される。
【００２６】
ここで出力端子４８から取り出される例えば第１の色差情報（Ｃbn）は、
Ｃbn＝ａ0 Ｃb0＋ａ1(Ｃb1＋Ｃb-1)＋ａ2(Ｃb2＋Ｃb-2)
＋ａ3(Ｃb3＋Ｃb-3)＋ａ4(Ｃb4＋Ｃb-4)
で表される。また、例えば第２の色差情報（Ｃrn）は、
Ｃrn＝ａ0 Ｃr0＋ａ1(Ｃr1＋Ｃr-1)＋ａ2(Ｃr2＋Ｃr-2)
＋ａ3(Ｃr3＋Ｃr-3)＋ａ4(Ｃr4＋Ｃr-4)
で表される。
【００２７】
すなわち上述の構成では、情報の遅延手段となるラッチ回路を２個ずつの回路で形成することにより、第１及び第２の色差情報（Ｃbn、Ｃrn）が交互に出力端子４８に取り出される。そして上述の係数（ａ0 、ａ1 、ａ2 、ａ3 、ａ4 ）を、それぞれ上述の演算回路４２〜４６の重み付けで定めることにより、いわゆるＦＩＲフィルタを構成して所望の特性のフィルタ回路を形成することができるものである。
【００２８】
さらに上述の構成で、演算回路４２〜４６の重み付けで定められる係数（ａ0 、ａ1 、ａ2 、ａ3 、ａ4 ）は、上述のように第１及び第２の色差情報の処理で共通のものである。また上述の装置では、例えば補間回路６も略同等の構成で実現することができる。そしてその場合の係数も、第１及び第２の色差情報の処理で共通となるものである。
【００２９】
従って上述の装置において、第１及び第２の色差情報をそれぞれの単位遅延手段を２単位ずつ設けた情報処理手段を用いて処理することによって、第１及び第２の色差情報の処理を１系統で行うことができ、装置全体の回路規模を縮小することができる。
【００３０】
さらに上述の装置において、情報処理手段として第１及び第２の色差情報の補間及び／または濾波を行うことにより、良好な色差情報のエンコードを行うことができる。
【００３１】
また、上述の装置において、情報処理手段として２単位ずつの単位遅延手段の設けられた遅延線を用いて処理を行うことにより、第１及び第２の色差情報の処理を１系統で行うことができる。
【００３２】
すなわち上述の装置において、処理を１系統にすることにより、例えば１個の情報ごとに処理される乗算回路では回路を半減することができる。また前後の情報を用いる補間回路やローパスフィルタでは、２個ずつの遅延手段が必要になるが、回路構成の複雑な加算回路等を半減することができる。
【００３３】
これによって、従来の装置では第１及び第２の色差情報を処理するための回路構成が２系統設けられているために、装置全体の回路規模が極めて大きくなっていたものを、本発明によればこれらの問題点を容易に解消することができるものである。
【００３４】
また上述の装置においては、分離された輝度情報は第１及び第２の色差情報の処理に相当する遅延手段を介して取り出すことにより、第１及び第２の色差情報の処理による時間差を解消することができる。
【００３５】
なお本発明は、上述の説明した実施の形態に限定されるものではなく、本発明の精神を逸脱することなく種々の変形が可能とされるものである。
【００３６】
【発明の効果】
従って請求項１の発明によれば、第１及び第２の色差情報をそれぞれの単位遅延手段を２単位ずつ設けた情報処理手段を用いて処理することによって、第１及び第２の色差情報の処理を１系統で行うことができ、装置全体の回路規模を縮小することができるものである。
【００３７】
また請求項２の発明によれば、情報処理手段として第１及び第２の色差情報の補間及び／または濾波を行うことによって、良好な色差情報のエンコードを行うことができるものである。
【００３８】
また請求項３の発明によれば、情報処理手段として２単位ずつの単位遅延手段の設けられた遅延線を用いて処理を行うことによって、第１及び第２の色差情報の処理を１系統で行うことができるものである。
【００３９】
また請求項４の発明によれば、分離された輝度情報は第１及び第２の色差情報の処理に相当する遅延手段を介して取り出すことによって、第１及び第２の色差情報の処理による時間差を解消することができるものである。
【図面の簡単な説明】
【図１】本発明の適用されるデジタルエンコーダ装置の一例の構成図である。
【図２】その動作の説明のための図である。
【図３】その要部の具体的な一例の構成図である。
【図４】その動作の説明のための図である。
【図５】従来のデジタルエンコーダ装置の構成図である。
【図６】その説明のための図である。
【図７】その要部の構成図である。
【符号の説明】
１…入力端子、２，３，１３…データラッチ回路、４…遅延回路、５…出力端子、６…補間回路、７…ローパスフィルタ、８…乗算回路、９，１０…端子、１１…セレクタ回路、１２…加算回路、１４…出力端子
【図１】
0004499201.tif 000002
【図２】
0004499201.tif 000003
【図３】
0004499201.tif 000004
【図４】
0004499201.tif 000005
【図５】
0004499201.tif 000006
【図６】
0004499201.tif 000007
【図７】
0004499201.tif 000008